(57)【要約】      （修正有）【課題】導電端子間のクロストークを減少させることができる電気コネクタを提供する。【解決手段】電気コネクタは、相手コネクタを挿入する挿入開口１２を有する絶縁材料からなるボディ１と、接触または分離できる可動端子２３と固定端子とを含み、前記ボディにそれぞれ装着される複数の導電端子を含む。前記可動端子と固定端子２２は、互いに接触または分離する接触部と被接触部をそれぞれ有し、可動端子の弾性的な変形を生じる方向で、前記可動端子と固定端子との間の対向面積は、前記可動端子の接触部と固定端子の被接触部との間の対向面積と同じである。【選択図】図３
0003144830.tif 000002
【実用新案登録請求の範囲】
【請求項１】
相手コネクタを挿入する挿入開口を有する絶縁材料からなるボディと、
接触または分離できる可動端子と固定端子とを含み、前記ボディにそれぞれ装着される複数の導電端子と
を含む電気コネクタにおいて、
前記可動端子と固定端子とは、互いに接触または分離する接触部と被接触部とをそれぞれ有し、可動端子の弾性的な変形を生じる方向で、前記可動端子と固定端子との間の対向面積が、前記可動端子の接触部と固定端子の被接触部との間の対向面積と同じであることを特徴とする電気コネクタ。
【請求項２】
前記固定端子と可動端子とは前記ボディに互いに偏移するように配置されるが、固定端子の被接触部と可動端子の接触部とだけが対向するように配置されることを特徴とする請求項１に記載の電気コネクタ。
【請求項３】
前記可動端子の接触部と固定端子の接触部との一方の面積がより小さくなると、前記可動端子と固定端子との間の対向面積がより小さくなることを特徴とする請求項２に記載の電気コネクタ。
【考案の詳細な説明】
【技術分野】
【０００１】
本考案は、電気コネクタに関し、特に、電子器械や電気機械に使用される電気コネクタに関するものである。
【背景技術】
【０００２】
近年、電気・電子機器の小型化が進むにつれ、コネクタの小型化の要求も強くなってきており、コネクタはより一層軽薄短小化が進んできている。通信速度が高速化し、導線間の間隔が狭くなることによって、ノイズの影響が顕著になってきている。このノイズは、１つの導線の信号が他の導線へ移るクロストークが１つの要因となっている。音楽や映画をストリーミングして視聴する場合にクロストークが発生すると、ダウンロードするデータ信号が他の導体へ移り、音飛びやコマ落ちの原因となる。
【０００３】
現在の電気コネクタ（図示せず）は、特許文献１に示すように、相手コネクタの開口部を有する絶縁材料で成型されたボディと、前記ボディに装着された導電端子とを有し、前記導電端子は、接触または分離する可動端子及び固定端子を含み、前記可動端子が固定端子に接触するための接触部と、接触部と一体に成型され、絶縁材料からなる押圧部とを有し、固定端子は可動端子の接触部に対向するように配置された被接触部を有する。相手コネクタがボディの開口部に挿入する際に、相手コネクタの先端が可動端子の押圧部に押圧すると、可動端子の押圧部に押圧されることによって接触部を下方へ向きに弾性的な変形させると、接触部を固定端子の被接触部に導通させる。
【特許文献１】中国実用新案第２６６７７３８号明細書
【考案の開示】
【考案が解決しようとする課題】
【０００４】
特許文献１の構造のものは、可動端子の下向きへの移動方向で、可動端子と固定端子が安定するように接触するために、可動端子の接触部と固定端子の被接触部との対向面積がより大きくなり、可動端子と固定端子との間にクロストークが増大する問題があった。上述した欠点に鑑みて、新たな電気コネクタを開発することが必要である。
【０００５】
本考案は、導電端子間のクロストークを減少させることができる電気コネクタを提供することを目的とする。
【課題を解決するための手段】
【０００６】
本考案の電気コネクタは、相手コネクタを挿入する挿入開口を有する絶縁材料からなるボディと、接触または分離できる可動端子と固定端子とを含み、前記ボディにそれぞれ装着される複数の導電端子を含む電気コネクタにおいて、前記可動端子と固定端子とは、互いに接触または分離する接触部と被接触部とをそれぞれ有し、可動端子の弾性的な変形を生じる方向で、前記可動端子と固定端子との間の対向面積は、前記可動端子の接触部と固定端子の被接触部との間の対向面積と同じであることを特徴とする。
【考案の効果】
【０００７】
従来技術に比べ、本考案は以下の利点を有し、可動端子と固定端子との間の対向面積は、前記可動端子の接触部と固定端子の被接触部との間の対向面積と同じで、クロストークを減少させるという点からは可動端子と固定端子の対向面積がより小さければ小さいほどよいことで、可動端子の接触部と固定端子の被接触部を減少することを通じて、導電端子間のクロストークを減少させている。
【考案を実施するための最良の形態】
【０００８】
本考案の電気コネクタの好ましい実施形態の一例について、添付図面図１〜図５を参照して説明する。本考案に係る電気コネクタ１００は、絶縁材料からなるボディ１と、ボディ１に収容された複数の導電端子２と、ボディ１の後端に取付けたカバー３とを含む。
【０００９】
ボディ１は、方形状を呈する本体部１０と、本体部１０の先端から延出するように形成された嵌合部１１と、前記本体部１０と嵌合部１１とを貫通するように形成された挿入開口１２とを有する。前記本体部１０は、天板１３と、天板１３に対向するように配置された底板１４と、天板１３と底板１４とを連接するための両側壁１５とを有する。前記底板１４の両先端には電気コネクタ１００を回路基板に保持するための保持凸部１４２がそれぞれ形成される。
【００１０】
ボディ１の本体部１０には、後壁１６から前向きに延出するように導電端子２を収容するための第１溝１６１、第２溝１６２、第３溝１６３、第４溝１６４、第５溝１６５が形成され、第１溝１６１、第２溝１６２、第３溝１６３、第４溝１６４、第５溝１６５は前記挿入開口１２にそれぞれ連通している。その中、第１溝１６１、第２溝１６２、第３溝１６３、第４溝１６４が本体部１０の左右方向で順に形成され、第５溝１６５が第２溝１６２と第３溝１６３との間に形成される。ボディ１の底板１４には本体部１０の後壁１６を貫通する凹溝１４３が形成され、後壁１６の四方隅には固持孔１６６がそれぞれ形成される。
【００１１】
複数の導電端子２は、金属導電片からなり、前記第１溝１６１、第２溝１６２、第３溝１６３、第４溝１６４、第５溝１６５にそれぞれ装着された第１端子２１、第２端子２２、第３端子２３、第４端子２４、第５端子２５を含み、その中で第２端子２２は固定端子、第３端子２３は可動端子であり、可動端子と固定端子との間は接触または分離できる。前記第１端子２１と第４端子２４の構造はほぼ同じであり、ボディ１の本体部１０に保持される保持部２１０、２４０と、保持部２１０、２４０の先端からそれぞれ折曲がって延出するように形成された弾性アーム２１１、２４１と、保持部２１０、２４０の後端から下向きに延出するように形成されたテール部２１５、２４５とをそれぞれ含み、前記弾性アーム２１０、２４０には相手コネクタに接触するための弧状の接触部２１２、２４２がそれぞれ形成される。
【００１２】
第２端子２２は、水平状の基部２２１と、基部２２１から折曲がって延出するように形成された延出アーム２２４、基部２２１から下向きに垂直して延出するように形成されるテール部２２５と、テール部２２５と基部２２１とを連接し、第２端子２２をボディ１の本体部１０に保持するための保持部２２０と、を含み、前記延出アーム２２４の末端には面積がより小さい被接触部２２２が形成される。
【００１３】
第３端子２３は、水平状の保持部２３０と、保持部２３０から後向きに折曲がって延出するように形成された弾性アーム２３１と、弾性アーム２３１の末端に形成された接触部２３２と、保持部２３０から垂直するように形成されたテール部２３５と、を含み、前記弾性アーム２３１の接触部２３０に隣接する箇所には絶縁体２３４が一体に形成され、相手コネクタが挿入開口１２に挿入される際に、相手コネクタが絶縁体２３４を押圧して弾性アーム２３１を第２端子２２への方向に弾性的に変形させ、第３端子２３の接触部２３０を第２端子２２の被接触部２２２に接続させる。
【００１４】
第５端子２５は、コ字形状を呈し、垂直状の基部２５０と、基部２５０の上下端から折曲がって延出するように形成される延出アーム２５１、２５３と、下延出アーム２５３から下向きに延出するテール部２５５と、を含み、前記上延出アーム２５３には相手コネクタに接続するための接触部２５２が形成される。
【００１５】
前記カバー３は、ボディ１の本体部１０の後壁１６の面積に対応するための主体部３０と、前記ボディ１の各固持孔１６６に係合するための係合部３１と、主体部３０の略中央部に第５端子２５の基部２５０を収容するための収容溝３２と、を含む。
【００１６】
組み合わせた際に、前記導電端子２が後方から前向きにボディ１の第１溝１６１、第２溝１６２、第３溝１６３、第４溝１６４、第５溝１６５にそれぞれ挿入され、保持され、導電端子２のテール部２１５、２２５、２３５、２４５、２５５がボディ１の底板１４に突出している。第１端子２１、第４端子２４、第５端子２５の接触部２１２、２４２、２５２と第３端子２３の絶縁体２３４は、ボディ１の挿入開口１２に挿入されて、相手コネクタが挿入開口１２に挿入される際に、相手コネクタに接続できる。
【００１７】
組み合わせた際に、前記第２端子２２と第３端子２３の相対位置関係が図５を参照して、第２端子２２と第３端子２３が左右方向で互いに偏移するように配置されるが、第２端子２２の被接触部２２２と第３端子２３の接触部２３２だけは対向するように配置されるので、第３端子２３が弾性的に変形する方向で、第２端子２２と第３端子２３との対向面積は、第２端子２２の被接触部２２２と第３端子２３の接触部２３２との間の対向面積であり、即ち、第２端子２２と第３端子２３との対向面積は、第２端子２２の被接触部２２２と第３端子２３の接触部２３２との間の対向面積と同じである。また、前記第２端子２２の被接触部２２２の面積がより小さいので、第２端子２２と第３端子２３との間の対向面積もより小さくなり、第２端子２２と第３端子２３との間のクロストークを減少させる。相手コネクタが挿入開口１２に挿入した際に、相手コネクタが第３端子２３の絶縁体２３４に押圧すると、第３端子２３の弾性アーム２３１を下向きに弾性的に変形させ、第３端子２３の接触部２３２が第２端子２２の被接触部２２２に導電的に接続する。
【００１８】
勿論、本考案に係る電気コネクタ１００の第２端子２２と第３端子２３の構造の第２実施状態は、図６に示すものに限定されず、図６と図７を参照すると、本考案に係る電気コネクタ１００の第２端子と第３端子の他の実施状態の構造図が示されている。図６を参照すると、第２実施状態の第２端子２６と第３端子２７に掲示され、第２端子２６は被接触部２６２を有する固定端子であり、第３端子２７は前記第２端子２６の被接触部２６２に接触/分離可能な接触部２７２を有する可動端子である。第２実施状態で、第２端子２６と第３端子２７の対向面積は、第２端子２６の被接触部２６２と第３端子２７の接触部２７２との間の対向面積である。また、前記第２端子２６の被接触部２６２の面積がより小さいので、第２端子２６と第３端子２７との間の対向面積もより小さくなり、第２端子２６と第３端子２７との間のクロストークを減少している。
【００１９】
図７を参照すると、第３実施状態の第２端子２８と第３端子２９に掲示され、第２端子２８は被接触部２８２を有する固定端子であり、第３端子２９は前記第２端子２８の被接触部２８２に接触/分離可能な接触部２９２を有する可動端子である。第３実施状態で、第２端子２８と第３端子２９との対向面積は、第２端子２８の被接触部２８２と第３端子２９の接触部２９２との間の対向面積である。また、前記第３端子２６の接触部２９２の面積がより小さいので、第３端子２９と第２端子２８との間の対向面積もより小さくなり、第２端子２８と第３端子２９の間のクロストークを減少する。
【００２０】
以上本考案について最良の実施形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００２１】
【図１】本考案に係る電気コネクタの組立斜視図である。
【図２】図１に示す電気コネクタ他の角度から見た斜視図である。
【図３】本考案に係る電気コネクタの分解斜視図である。
【図４】図３に示す電気コネクタの他の角度から見た分解斜視図である。
【図５】本考案に係る電気コネクタの固定端と可動端子の分離状態の斜視図である。
【図６】本考案に係る電気コネクタの固定端と可動端子が第２実施状態におけるの分離状態の斜視図である。
【図７】本考案に係る電気コネクタの固定端と可動端子が第３実施状態におけるの分離状態の斜視図である。
【符号の説明】
【００２２】
１００  電気コネクタ
１  ボディ
１０  本体部
１１  嵌合部
１２  挿入開口
１３  天板
１４  底板
１４２  保持凸部
１４３  凹溝
１５  側壁
１６  後壁
１６１  第１溝
１６２  第２溝
１６３  第３溝
１６４  第４溝
１６５  第５溝
１６６  固持孔
２  導電端子
２１  第１端子
２２、２６、２８  第２端子（固定端子）
２３、２７、２９  第３端子（可動端子）
２４  第４端子
２５  第５端子
２１０、２２０、２３０、２４０  保持部
２１１、２４１、２３１  弾性アーム
２１５、２２５、２３５、２４５、２５５  テール部
２１２、２３２、２４２、２７２、２９２  接触部
２２２、２６２、２８２  被接触部
２２１、２５０  基部
２２４  延出アーム
２３４  絶縁体
３  カバー
３０  主体部
３１  係合部
３２  収容溝
【図１】
0003144830.tif 000003
【図２】
0003144830.tif 000004
【図３】
0003144830.tif 000005
【図４】
0003144830.tif 000006
【図５】
0003144830.tif 000007
【図６】
0003144830.tif 000008
【図７】
0003144830.tif 000009